(57)【要約】【課題】乾燥装置に安価なモータを用いても、洗濯兼脱水槽に吹き込まれる温風の温度を可変とする乾燥機能付き洗濯機を得る。【解決手段】洗濯物に温風を吹き付けて乾燥させる温風吹き込み手段９２としての乾燥装置は、送風機９２と、送風機９２によって送り込まれる空気を加温するＰＴＣヒータ９４と、送風機９２によって送り込まれる空気の一部がＰＴＣヒータ９４を通過しないで流れるバイパス通路１０５とを備えており、その通路断面積が可動板１０４の回動によって可変とされている。バイパス通路１０５の通路断面積は、洗濯容量の大きさ、布質、又は外箱内温度に応じて可変とされる。洗濯物の乾燥の状況に応じてバイパス通路の通路断面積を変更することにより、吹出し口９６からの温風の吹き込みを適切に制御することができる。【選択図】図４
2007330354.tif 000002
【特許請求の範囲】
【請求項１】
洗濯物に温風を吹き付けて乾燥させる乾燥装置を備えた乾燥機能付き洗濯機において、前記乾燥装置は、送風機と、前記送風機で送られた空気を温めるＰＴＣヒータと、前記送風機によって送られる空気の一部が前記ＰＴＣヒータを通過しないで流れるバイパス通路とを備え、前記バイパス通路の通路断面積を可変させることを特徴とする乾燥機能付き洗濯機。
【請求項２】
前記バイパス通路の前記通路断面積は、洗濯容量の大きさ、布質、又は外箱内温度に応じて可変とされていることを特徴とする請求項１に記載の乾燥機能付き洗濯機。
【請求項３】
前記バイパス通路の前記通路断面積は、前記洗濯容量が大きいときほど狭くすることを特徴とする請求項２に記載の乾燥機能付き洗濯機。
【請求項４】
前記バイパス通路の前記通路断面積は、前記布質が吸湿性の高い布質のときほど狭くすることを特徴とする請求項２に記載の乾燥機能付き洗濯機。
【請求項５】
前記バイパス通路の前記通路断面積は、前記外箱内温度が高いときほど広くすることを特徴とする請求項２に記載の乾燥機能付き洗濯機。
【請求項６】
前記洗濯物に吹き付けた温風を前記乾燥装置に循環させる循環経路が設けられており、前記バイパス通路の前記通路断面積は、循環する前記空気の温度によって可変とされていることを特徴とする請求項１に記載の乾燥機能付き洗濯機。
【請求項７】
前記バイパス通路の前記通路断面積は、前記循環経路から戻る温風温度が高いほど広くすることを特徴とする請求項６に記載の乾燥機能付き洗濯機。
【発明の詳細な説明】
【技術分野】
【０００１】
この発明は、例えば縦型の全自動洗濯機として具体化されているような、乾燥機能付き洗濯機に関する。
【背景技術】
【０００２】
洗濯乾燥機の一例として、ヒーターケース内で、ＰＴＣヒータ（正温度特性反動体ヒータ）の上又は下に形成される流路方向に空間を、ＰＴＣヒータを通過しないバイパス空気が流れるバイパス風路とした洗濯乾燥機が提案されている（特許文献１参照）。乾燥行程時に作動される送風装置から送風ダクトを通じてヒーターケースに風を送ると、風の大部分は加熱装置であるＰＴＣヒータを通過することで、ここを通過する空気が加熱される。一方、バイパス風路を通過する一部の空気は加熱されないまま温風吐出ダクトに流れ、ここで加熱空気と混合する。これにより、温風吐出ダクトから吐出する温風の温度は、ＰＴＣヒータを通過しただけの温風温度よりも低下する。風量を調整することで、例えば、外気温度が３０℃の時に吐出温度が１００℃になることなく、外気温度より６０Ｋを越えない範囲の９０℃に設定可能とされている。
【０００３】
特許文献１に記載の洗濯乾燥機は、バイパスを設けているが、空気が通過するバイパスの断面積が一定であるので、乾燥装置から吐出する温風の温度を自在に変えることができず、洗濯容量や布質や乾燥装置が吸い込む空気の温度に応じた乾燥時間、仕上げを設定することができない。
【０００４】
また、洗濯乾燥機の別の例として、燥運転時に予め設定された乾燥に有効な所定温度に対し、温風供給ユニットから吹出された温風温度が高い場合には、送風機の回転速度を上昇させ、逆に所定温度よりも低い場合には送風機の回転速度を低下させるようにして、風量を複数段階に可変することにより加熱源たるＰＴＣヒータの温度制御を行なう乾燥機能付き洗濯機が提案されている（特許文献２参照）。
【０００５】
特許文献２に記載の乾燥機能付き洗濯機は、乾燥装置から吐出する温風の温度を変えるため、乾燥装置にインバータモータ等の高価なモータを用い送風機の回転数を制御している。したがって、製品のコストを抑えることが難しい。また、洗濯物の乾燥状況に適した温風の温度及び量に制御することが必ずしも容易ではないという問題がある。
【特許文献１】特開２００１−１９８３８７号公報（段落〔００２３〕〜〔００３０〕）
【特許文献２】特開２００４−２０９１４１号公報（段落〔００４９〕〜〔００５０〕）
【発明の開示】
【発明が解決しようとする課題】
【０００６】
そこで、乾燥機能付き洗濯機において、乾燥装置に安価なモータを用いても、洗濯兼脱水槽に吹き込まれる温風の温度を洗濯物の乾燥状況に応じて可変とする点で解決すべき課題がある。
【０００７】
この発明の目的は、乾燥装置に安価なモータを用いても、洗濯兼脱水槽に吹き込まれる温風の温度が可変であり、しかも構造が簡素で且つ製造コストが低減可能な乾燥機能付き洗濯機を提供することである。
【課題を解決するための手段】
【０００８】
上記の課題を解決するため、この発明による乾燥機能付き洗濯機は、洗濯物に温風を吹き付けて乾燥させる乾燥装置を備えており、前記乾燥装置は、送風機と、前記送風機によって送り込まれる空気を加温するＰＴＣヒータと、前記送風機によって送り込まれる空気の一部が前記ＰＴＣヒータを通過しないで流れるバイパス通路とを備え、前記バイパス通路の通路断面積を可変させることを特徴としている。
【０００９】
洗濯機は、洗濯物が収容され且つ縦軸に回り回転可能な洗濯兼脱水槽と、当該洗濯兼脱水槽内に空気を送り込む乾燥装置とを備えている。バイパス通路の通路断面積を可変としているので、洗濯物の乾燥の状況に応じてバイパス通路の通路断面積を変更することにより、洗濯物の乾燥をその量や質等の乾燥状況に応じて適切に行うことができる。
【００１０】
この乾燥機能付き洗濯機において、前記バイパス通路の前記通路断面積は、洗濯容量の大きさ、布質、又は外箱内温度に応じて可変とされている。
【００１１】
洗濯容量が多いときには、バイパスの断面積を狭くし、暖められることなくバイパスを通過する空気量を少なくすることで、乾燥装置内でＰＴＣヒータを通過した温風と混合しても、乾燥装置から吐出する温風の温度を高く保つことができ、乾燥時間を短縮することができる。逆に、洗濯容量が少ないときには、バイパスの断面積を広くし、暖められることなくバイパスを通過する空気量を多くすることで、乾燥装置内でＰＴＣヒータを通過した温風と混合し、乾燥装置から吐出する温風の温度を下げることができ、布傷みや布の縮みを防ぎ、さらに消費電力を下げることができる。
【００１２】
上記の乾燥機能付き洗濯機において、洗濯物が吸湿性の高い布質（綿素材等）であるときには、バイパスの断面積を狭くし、暖められることなくバイパスを通過する空気量を少なくすることで、乾燥装置内でＰＴＣヒータを通過した温風と混合しても、乾燥装置から吐出する温風の温度を高く保つことができ、乾燥時間を短縮することができる。また、洗濯物が吸湿性の低い布質（化繊、絹等）であるときには、バイパスの断面積を広くし、暖められることなくバイパスを通過する空気量を多くすることで、乾燥装置内でＰＴＣヒータを通過した温風と混合し、乾燥装置から吐出する温風の温度を下げることができ、布傷みや布の縮みを防ぎ、更に消費電力を下げることができる。
【００１３】
上記の乾燥機能付き洗濯機において、外箱内温度が高いときには、バイパスの断面積を広くし、暖められることなくバイパスを通過する空気量を多くすることで、乾燥装置内でＰＴＣヒータを通過した温風と混合し、乾燥装置から吐出する温風の温度が高温になることを防ぎ、消費電力を下げることができる。逆に、外箱内温度が低いときには、バイパスの断面積を狭くし、暖められることなくバイパスを通過する空気量を少なくすることで、乾燥装置内でＰＴＣヒータを通過した温風と混合しても、乾燥装置から吐出する温風の温度を高く保つことができ、乾燥時間を短縮することができる。
【００１４】
上記の乾燥機能付き洗濯機において、前記洗濯物に吹き付けた温風を前記乾燥装置に循環させる循環経路が設けられており、前記バイパス通路の前記通路断面積を、循環する前記空気の温度によって可変とすることができる。前記洗濯物に乾燥作用を及ぼした後に洗濯兼脱水槽から排気される温風を前記送風機に戻す循環経路を備えることで、温風に含まれる熱エネルギーを効率良く利用することができる。しかも、前記バイパス通路の前記通路断面積を、循環経路から戻る温風の温度によって可変とすることができる。送風機は循環経路から戻る温風と循環経路から戻る空気以外の空気とを吸い込み可能であり、洗濯容量、布質、外箱内温度等に応じてバイパスの断面積を可変させることができる。
【００１５】
循環経路から戻る温風温度の高いときには、バイパスの断面積を広くし、暖められることなくバイパスを通過する空気量を多くすることで、乾燥装置内でＰＴＣヒータを通過した温風と混合し、乾燥装置から吐出する温風の温度が高温になることを防ぎ、消費電力を下げることができる。逆に、循環経路から戻る温風温度が低いときには、バイパスの断面積を狭くし、暖められることなくバイパスを通過する空気量を少なくすることで、乾燥装置内でＰＴＣヒータを通過した温風と混合しても、乾燥装置から吐出する温風の温度を高く保つことができ、乾燥時間を短縮することができる。
【発明の効果】
【００１６】
本発明による乾燥機能付き洗濯機は、以上のように構成されており、乾燥状況に応じて、バイパスの断面積を可変させ、吹出し口から吐出する温風の温度を制御することができる。より具体的には、洗濯容量や布質、或いは外箱内温度や循環経路から戻る温風温度等に応じてバイパスの断面積を可変させるので、吹出し口から洗濯兼脱水槽に吐出する温風の温度を乾燥工程の状況に応じて適切に制御することができる。
【００１７】
したがって、乾燥時間を短縮させる、布質に応じた仕上げを設定する、消費電力を下げる、或いは高価なインバータモータを用いる等のことがないため、製品のコストを抑えることができる。
【発明を実施するための最良の形態】
【００１８】
以下、添付した図面に基づいて、この発明による乾燥機能付き洗濯機の実施例を説明する。図１はこの発明による乾燥機能付き洗濯機の一実施例を示す縦断面図、図２は図１に示す乾燥機能付き洗濯機の下部構造を示す断面図である。
【００１９】
図１には、乾燥機能付き洗濯機（以下、単に、「洗濯機」という）１の全体構成が縦断面図として示されており、左側が洗濯機１の正面、右側が背面である。洗濯機１は、全自動型のものであり、金属又は合成樹脂製の外箱１０を備えている。外箱１０は、直方体形状に成形され、その上面及び底面は開口部となっている。外箱１０の上面開口部には、操作パネル等が設けられた合成樹脂製の上面板１１がネジで固定されている。
【００２０】
洗濯機１の背面側に位置する上面板１１の上面には、合成樹脂製のバックパネル１２が外箱１０又は上面板１１にネジで固定されている。外箱１０の底面開口部には、合成樹脂製のベース１３がネジで固定されている。なお、図１では、これまでに述べてきたいずれのネジの図示をも省略している。ベース１３の四隅には、外箱１０を床の上に支えるための脚部１４ａ・１４ｂが設けられている。正面側の脚部１４ａはレベル出しのために高さ可変とされた調整脚であり、背面側の脚部１４ｂはベース１３に一体成型されている固定脚である。
【００２１】
上面板１１には、洗濯機１内に洗濯物を投入するための洗濯物投入口１５が形設されている。上蓋１６は、上面板１１にヒンジ部１７で結合され、紙面に垂直な軸線の周りに回動可能であると共に、閉じた状態では洗濯物投入口１５を上から覆うことができる。外箱１０の内部には、外箱１０に対してサスペンション部材（図示せず）によって水平面内で揺動可能に吊り下げ支持されている外側の水槽２０と、水槽２０の内側において水槽２０と同心状に配設された脱水槽を兼ねる洗濯槽、即ち、洗濯兼脱水槽３０とが配置されている。水槽２０及び洗濯兼脱水槽３０は、両者とも上面が開口した円筒形のカップの形状を呈しており、各々の回転軸線は鉛直方向となっている。
【００２２】
洗濯兼脱水槽３０は、上方に向かうにつれて緩やかに広がるテーパー形状の周壁を有している。この周壁には、その最上部に環状に配置した複数個の脱水孔（図示せず）を除き、液体を通すための開口部は形成されておらず、洗濯兼脱水槽３０は、洗濯兼脱水槽の外側との間で洗濯水が出入りしないいわゆる「孔無し」タイプである。洗濯兼脱水槽３０の上部開口部の縁には、環状のバランサ３２が装着されている。バランサ３２は、洗濯物の脱水のため、洗濯兼脱水槽３０を高速回転させたときに、その振動を抑制する働きをする。洗濯槽３０の内部底面には、槽内で洗濯水あるいはすすぎ水の流動を生じさせるためのパルセータ３３が配置されている。
【００２３】
水槽２０の下面には、駆動ユニット４０が装着されている。駆動ユニット４０は、モータ４１、モータ４１の出力回転を伝動するベルト伝動機構４２及びクラッチ・ブレーキ機構４３を含んでおり、その中心部から、脱水軸４４とパルセータ軸４５とが上向きに突出している。脱水軸４４とパルセータ軸４５とは、脱水軸４４が外側に配置され、パルセータ軸４５が内側に配置された二重軸構造となっている。脱水軸４４は、下方から上方に向かって水槽２０の中に入り込んだ後、洗濯兼脱水槽３０に連結し、これを支えている。パルセータ軸４５は、下方から上方に向かって水槽２０を貫いて更に洗濯兼脱水槽３０の中に入り込み、パルセータ３３に連結し、これを支えている。パルセータ３３は、５５〜３００ｒｐｍの回転を行い、洗濯又は濯ぎを行う。また、脱水時には洗濯兼脱水槽３０と一緒に０〜１０００ｒｐｍで回転し、脱水を行う。脱水軸４４と水槽２０との間、及び脱水軸４４とパルセータ軸４５の間には、各々、水漏れを防ぐためのシール部材が配置されている。
【００２４】
バックパネル１２の下の空間には、電磁的に開閉する給水弁（図示せず）が配置されている。給水弁に接続され且つバックパネル１２を貫通して上方に突き出る接続管５１には、水道水等の上水を供給する給水ホース（図示せず）が接続されている。また、給水弁は、洗濯兼脱水槽３０の内部に臨む位置に配置された容器状の給水口に接続されている。
【００２５】
図２に示されている洗濯機１の下部構造を合わせて参照すると、水槽２０の底部には、水槽２０及び洗濯兼脱水槽３０の中の水を外箱１０の外に排水する排水ホース６０が取り付けられている。排水ホース６０には、排水口６１から水が流れ込む。脱水時に洗濯兼脱水槽３０の外側へ出た水は、図示しない排水管を通じて排水ホース６０に流される。
【００２６】
洗濯兼脱水槽３０の下部には補強のためのディスク状の脱水フランジ６２が取り付けられている。洗濯兼脱水槽３０と脱水フランジ６２の間にはフランジパッキン６２ａが挟み込まれ、中心部からの水漏れを防止している。脱水フランジ６２の下部中心部には、円盤の外周を折り曲げたリング状のシールリング６５が取り付けられている。水槽２０の底中心部にはシールホルダ６３が取り付けられ、水槽２０との間で排水口６１までの排水経路を形成している。シールホルダ６３と水槽２０の間は、シールパッキン６３ａによって水密される。洗濯兼脱水槽３０、脱水フランジ６２及びシールリング６５には連通した排水孔６７が円周上の例えば４箇所に設けられており、排水孔６７は洗濯兼脱水槽３０内部の水を排水口６１から電磁的に開閉する排水弁６８に導く。シールホルダ６３には内側においてオイルシール６４が圧入されており、オイルシール６４がシールリング６５の外周面に接触している。このシール構造によって、シールリング６５とオイルシール６４は回転自在で且つ水密構造となり、水槽２０と洗濯兼脱水槽３０との間に独立した排水空間６６が形成されている。排水空間６６は、洗濯兼脱水槽３０の底部に形設した排水孔６７を介して洗濯兼脱水槽３０の内部に連通している。
【００２７】
上記した構造によって、パルセータ３３が回る洗濯時には、洗濯兼脱水槽３０内の水は排水弁６８で止水され、洗濯兼脱水槽３０内には水が貯められる。脱水を行うときは排水弁６８が開かれ、洗濯兼脱水槽３０内の水は外部に排水される。モータ４１の駆動によってシャフト４４，４５と洗濯兼脱水槽３０が回転されるが、オイルシール６４によりシールリング６５とシールホルダ６３は回転自在で且つ水密構造をとり続けることができる。
【００２８】
外箱１０の正面側には、制御部８０が配置されている。制御部８０は、上面板１１の下に置かれており、上面板１１の上面に設けられた操作／表示部（図示せず）を通じて使用者からの操作指令を受け、駆動ユニット４０、給水弁及び排水弁６８に動作指令を発する。また、制御部８０は、操作／表示部に表示指令を発する。
【００２９】
水槽２０の上端部に設けられるフランジ部８１には、内蓋８２がヒンジ８３によって回動可能に取り付けられている。内蓋８２は、洗擢・濯ぎ・脱水時には、洗濯物や水が洗濯兼脱水槽３０から外に飛び出すのを防止している。
【００３０】
洗濯物の乾燥を行うため、図１に示すような、温風吹き込み手段９０と循環径路１００とが構成されている。また、図３には、図１に示す温風吹き込み手段とその回りの構造が断面図として示されている。図３（ａ）は縦断面図、同（ｂ）は吸込み口での循環経路上端部の配置関係を示す図である。以下、主として図１及び図３を参照して、洗濯機に備わる乾燥構造及びその機能について説明する。温風吹き込み手段９０は、送風箱９１内に配設されモータ９３で駆動される送風機９２と、送風機９２の出口側に設けられて送風機９２から送られてくる空気を加熱するＰＴＣヒータ９４とを備え、送風機９２から送られてくる空気がＰＴＣヒータ９４を通過しないバイパス１０５を設け、そのバイパス１０５の断面積を可変させることができる可動板１０４を備えている。送風機９２を含む送風箱９１は、洗濯機１においてその外箱１０の上端部に配置されている。送風箱９１には、一方の吸込み口９５側では後述する循環通路１００が接続されている。また、送風箱９１の吹出し口９６側では蛇腹ダクト９７が水槽２０のフランジ部８１を貫通して洗濯兼脱水槽３０内の空間３１に開口しており、洗濯兼脱水槽３０に向かって温風を吹き下ろすことができる。
【００３１】
循環経路１００においては、下端部１０１が排水口６１に接続されており、上端部１０２が送風箱９１に接続されている。上端部１０２と吸込み口９５との間を、蛇腹ダクト９７の場合と同様、蛇腹状の接続管１０３で接続させることで、洗濯機１の運転時に両者間の変位を吸収可能にしておくことが好ましい。循環経路１００は合成樹脂製の配管とすることが好ましく、熱の再利用を重視するのであれば循環経路１００を断熱材で巻き付けることができる。また、除湿を重視するのであれば熱を放出して積極的に結露させることができる。
【００３２】
送風機９２の吸込み口９５は、洗濯機１の外部の空気を取り入れるのではなく、洗濯機１の内部の空気を吸い込む形に配置されている。即ち、送風機９２の吸込み口９５は、洗濯機１の外箱１０内の空間に向かって下方に開口しており、水槽２０の上端部に設けられるフランジ部８１には吸込み口９５に対応して、洗濯機１の外箱１０内の空間３１に連通する連通孔８４が形成されている。また、循環径路１００は、連通孔８４内を延びており、その上端部１０２が吸込み口９５内に納まる態様、即ち、吸込み口９５の面積の一部分を占めるように接続されている。
【００３３】
送風機９１の吸込み口９５を外箱１０内の空間３１に向かって下方に向けることで、循環経路１００を通じて上昇してくる乾燥作用済みの空気と、洗濯機１の空間３１内の空気とが吸い込まれる。洗濯機１内の空気は、乾燥工程がある程度進んだ状態では、洗濯機１の高温部分に触れて温まっており、空間３１を上昇する傾向にあるので、吸込み口９５は洗濯機１の空間３１内の空気を効率良く捉えることができる。こうした構造によって、送風機９１の吸い込み効率を向上させることができる。
【００３４】
吸込み口９５の大きさについては、送風機９１のファンの吸い込み面積と等しくされている。また、図３において、軸線Ａ−Ａで示すように、送風機９１のファン回転軸は吸込み口９５の中心に一致して配置されている。更に、循環経路１００の上端部１０２の吸込み口９５への接続については、中心（軸線Ａ−Ａ）とは偏心した位置に配置されている。ファンの回転中心部分は回転軸が存在しており、またファンブレードの周速が速くないので、吸い込み力が弱い。循環経路１００の上端部１０２の吸込み口９５への接続位置については、吸い込み力が強いファンの外側寄りの領域に対応した部分とすることで、循環させるパワーを最大限に発揮させることができる。こうした構造により、吸込み口９５を通じて吸い込まれる洗濯機内の空気は送風機９２のファンに吸い込まれやすくなる。
【００３５】
洗濯物の乾燥作用の説明を温風の流れとともに説明する。送風機９２によって送り出された空気がＰＴＣヒータ９４を通る際に加熱されて温風になる。送風機９２によって送り出された空気がＰＴＣヒータ９４のバイパス１０５を通過するものは、加熱されることはなく、送風箱９１内で混合され吹出し口９６からフランジ部８１を貫通する蛇腹ダクト９７を経て、洗濯兼脱水槽３０内部の空間３１内に吹き込まれる。吹き込まれた温風が洗濯物に対して乾燥作用を及ぼして水分を取り、その後の温風の一部は、パルセータ３３と洗濯兼脱水槽３０との間の隙間から排水孔６７を通って排水空間６６に流れ出る。排水空間６６に出た温風は排水口６１から循環通路１００に流れ、送風機９２によって吸い込まれて送風箱９１内に戻る。温風の他の部分は、洗濯兼脱水槽３０の上方から水槽２０へと流れる。
【００３６】
図４には、送風箱９１内の可動板１０４の構造が断面図として示されている。図４（ａ）は可動板１０４がバイパス１０５を最も絞った状態を示す図出有り、図４（ｂ）は可動板１０４がバイパス１０５を最大に開いた状態を示す図である。図５は、風量と消費電力との関係を示す特性図である。ＰＴＣヒータ９４は、風量が増すに伴って発熱量が増大する正特性を有したものが採用されている。
【００３７】
洗濯容量が多いとき（定格容量に対して６０％以上）には、図４（ａ）に示すように、可動板１０４をバイパス１０５に張り出してその断面積を狭くし、暖められることなくバイパス１０５を通過する空気量を少なくすることで、送風箱９１内でＰＴＣヒータ９４を通過した温風と混合しても、吹出し口９６から吐出する温風の温度を高く保つことができ、乾燥時間を短縮することができる。
【００３８】
洗濯容量が少ないとき（定格容量に対して２５％以下）には、図４（ｂ）に示すように、可動板１０４をバイパス１０５から後退させてその断面積を広くし、暖められることなくバイパス１０５を通過する空気量を多くし、ＰＴＣヒータ９４を通過する風量を少なくすることで、送風箱９１内でＰＴＣヒータ９４を通過した温風と混合し、吹出し口９６から吐出する温風の温度を下げることができ、布傷みや布の縮みを防ぎ、更に消費電力を下げることができる。
【００３９】
洗濯物が吸湿性の高い布質（綿素材等）であるときには、可動板１０４をバイパス１０５に張り出してその断面積を狭くし、暖められることなくバイパス１０５を通過する空気量を少なくすることで、送風箱９１内でＰＴＣヒータ９４を通過した温風と混合しても、吹出し口９６から吐出する温風の温度を高く保つことができ、乾燥時間を短縮することができる。
【００４０】
洗濯物が吸湿性の低い布質（化繊、絹等）であるときには、可動板１０４を後退させてバイパス１０５の断面積を広くし、暖められることなくバイパス１０５を通過する空気量を多くすることで、送風箱９１内でＰＴＣヒータ９４を通過した温風と混合し、吹出し口９６から吐出する温風の温度を下げることができ、布傷みや布の縮みを防ぎ、更に消費電力を下げることができる。
【００４１】
外箱内温度が高いとき（外箱外温度に対して１２ｄｅｇ以上）には、可動板１０４を後退させてバイパス１０５の断面積を広くし、暖められることなくバイパス１０５を通過する空気量を多くすることで、送風箱９１内でＰＴＣヒータを通過した温風と混合し、吹出し口９６から吐出する温風の温度が高温になることを防ぎ、消費電力を下げることができる。
【００４２】
外箱内温度が低いとき（外箱外温度に対して８ｄｅｇ以下）には、可動板１０４をバイパス１０５に張り出してその断面積を狭くし、暖められることなくバイパス１０５を通過する空気量を少なくすることで、送風箱９１内でＰＴＣヒータを通過した温風と混合しても、吹出し口９６から吐出する温風の温度を高く保つことができ、乾燥時間を短縮することができる。
【００４３】
循環経路から戻る温風温度が高いとき（外箱外温度に対して１０ｄｅｇ以上）には、可動板１０４を後退させてバイパス１０５の断面積を広くし、暖められることなくバイパス１０５を通過する空気量を多くすることで、送風箱９１内でＰＴＣヒータ１０５を通過した温風と混合し、吹出し口９６から吐出する温風の温度が高温になることを防ぎ、消費電力を下げることができる。
【００４４】
循環経路から戻る温風温度が低い（外箱外温度に対して６ｄｅｇ以下）ときには、可動板１０４をバイパス１０５に張り出してその断面積を狭くし、暖められることなくバイパス１０５を通過する空気量を少なくすることで、送風箱９１内でＰＴＣヒータ１０５を通過した温風と混合しても、吹出し口９６から吐出する温風の温度を高く保つことができ、乾燥時間を短縮することができる。
【００４５】
ここで、洗濯兼脱水槽３０は孔無しであるので、脱水孔が形成されている場合のように温風が洗濯物の乾燥に寄与しないで洗濯兼脱水槽３０の外側に発散的に漏れ出ることが少なくなる。温風が通る経路がより単純・限定的になるとともに密閉度が上がって排水孔６７から排気されるまで洗濯物に触れて乾燥を促すので、乾燥の効率がよい。乾燥工程時に、パルセータ３３を低速回転させることにより、洗濯物はほぐされて温風とよく触れて乾燥が促進される。乾燥終了は、洗濯物の乾燥時のＰＴＣヒータ９４の出口温度と洗濯物を通過した後の水蒸気を含む空気温度を温度センサでセンシングして乾燥終了を検知することができる。また、ユーザが設定したタイマで時間制御することも可能である。
【００４６】
洗濯物から蒸発した水分は、排水空間６６、排水口６１及び循環通路１００を通る間に冷却されて結露水となるが、結露水自体は排水ホース６０から排水される。洗濯兼脱水槽３０と洗濯機の外箱１０との間に配置された循環径路１００が空冷されることで熱交換部となって除湿ができる。また、循環径路１００の上端は送風機９２の吸込み口９５に対して部分的に接続されているため、全て覆う形（即ち、１００％循環）で接続されている完全循環タイプより圧損をより少なく洗濯機１内の空気を吸い込むことができる。したがって、風量が上がり、乾燥効率アップにつながる。更に、送風機９２は吸込み口９５において、洗濯機１内の空気を吸い込むため、乾燥が進行するにつれ排熱によって機内も温められており、その熱量を受けて温まった洗濯機内に空気が吸い込まれて利用されるので、熱効率も上がる。
【００４７】
上記の実施例の説明において、洗濯兼脱水槽３０については孔無し槽として説明したがこれに限定する必要もない。孔無し槽であれば密閉度が上がるということであり、脱水孔を有するものであっても構わない。更に、縦型の洗濯機として説明をしたが、傾斜角度が比較的小さければ、本発明を傾斜型の洗濯機に適用することも可能である。
【図面の簡単な説明】
【００４８】
【図１】この発明による乾燥機能付き洗濯機の一実施例を示す縦断面図である。
【図２】図１に示す乾燥機能付き洗濯機の下部構造を示す断面図である。
【図３】図１に示す乾燥機能付き洗濯機の送風機とその回りを示す断面図である。
【図４】図１に示す乾燥機能付き洗濯機の送風箱内の可動板とその回りを示す断面図である。
【図５】風量と消費電力との関係を示す特性図である。
【符号の説明】
【００４９】
１  乾燥機能付き洗濯機
１０  外箱                            １１  上面板
１２  バックパネル                    １３  ベース
１４ａ・１４ｂ  脚部                  １５  洗濯物投入口
１６  上蓋                            １７  ヒンジ部
２０  水槽
３０  洗濯兼脱水槽                    ３１  空間
３２  バランサ                        ３３  パルセータ
４０  駆動ユニット                    ４１  モータ
４２  ベルト伝動機構                  ４３  クラッチ・ブレーキ機構
４４  脱水軸                          ４５  パルセータ軸
５１  接続管                          ６０  排水ホース
６１  排水口                          ６２  脱水フランジ
６２ａ  フランジパッキン
６３  シールホルダ                    ６３ａ  シールパッキン
６４  オイルシール                    ６５  シールリング
６６  排水空間                        ６７  排水孔
６８  排水弁                          ８０  制御部
８１  フランジ部                      ８２  内蓋
８３  ヒンジ
９０  温風吹き込み手段                ９１  送風箱
９２  送風機                          ９３  モータ
９４  ＰＴＣヒータ                    ９５  吸込み口
９６  吹出し口                        ９７  蛇腹ダクト
１００  循環径路                      １０１  下端部
１０２  上端部                        １０３  接続管
１０４  可動板                        １０５  バイパス通路
【図１】
2007330354.tif 000003
【図２】
2007330354.tif 000004
【図３】
2007330354.tif 000005
【図４】
2007330354.tif 000006
【図５】
2007330354.tif 000007